(57)【要約】【課題】建物の複数箇所に設けた引き違いガラス戸用補助錠を、一箇所で集中的に監視する。【解決手段】各ガラス戸用補助錠１０は、ガラス戸Ｗ１１，Ｗ１２の振動又は内側のガラス戸Ｗ１２とロック体２の当接力を検知して、補助錠１０の識別情報を含む警報信号を発する無線送信部２１と、この無線送信部２１を作動させる電源部２７とを備える。各補助錠１０の無線送信部２１よりの警報信号が、前記複数の引き違いガラス戸からの侵入を監視する監視装置３１に送信される。監視装置３１は、前記警報信号を受信した際に、前記識別情報に対応する警報音、警報メッセージあるいは警報光を出力する出力回路３６を備える。【選択図】  図１
2007321362.tif 000002
【特許請求の範囲】
【請求項１】
引き違いガラス戸の外側ガラス戸に後面が貼り付けられる基板と、この基板の前面側に一端部を起伏自在に枢支させたロック体とを備え、前記ロック体を前記基板に対し起立させることで、そのガラス戸の開放を阻止するように構成された複数の引き違いガラス戸用補助錠を監視する補助錠監視システムであって、
前記各ガラス戸用補助錠は、ガラス戸の振動又は内側のガラス戸とロック体の当接力を検知した場合に、前記各補助錠の識別情報を含む警報信号を発する無線送信部と、この無線送信部を作動させる電源部とを備え、
前記各補助錠の無線送信部よりの警報信号が、前記複数の引き違いガラス戸からの侵入を監視する監視装置に送信される構成とされていることを特徴とする補助錠監視システム。
【請求項２】
前記監視装置は、前記警報信号を受信した際に、前記識別情報に対応する警報音、警報メッセージあるいは警報光を出力する警報部を備えることを特徴とする請求項１記載の補助錠監視システム。
【請求項３】
前記警報信号は、さらに前記電源部の電圧情報を含み、
前記監視装置は、前記警報信号を受信した際に、前記電源部の電圧値が所定値以上であるか否かの判定を行う判定手段を備えることを特徴とする請求項１または２記載の補助錠監視システム。
【請求項４】
前記ロック体は、前記電源部および前記無線送信部とともにそれらを接続する電気回路を開閉する電源スイッチを備えるものであり、
前記電源スイッチは、前記ロック体の倒伏動作による前記基板との接触によりオフに、前記ロック体の起立動作による前記基板からの離間によりオンになるように構成していることを特徴とする請求項１〜３のいずれかに記載の補助錠監視システム。
【請求項５】
前記無線送信部は、前記ガラス戸の振動を検知する振動センサーと、前記ロック体の起立時において前記内側のガラス戸の開放動作時の押し付け力で作動するダンパースイッチと、前記振動センサーおよび前記ダンパースイッチからの信号に基づき警報信号を出力する制御部とを備えることを特徴とする請求項１〜４のいずれかに記載の補助錠監視システム。
【発明の詳細な説明】
【技術分野】
【０００１】
本発明は、引き違いガラス戸用の補助錠を用いた監視システムに関する。
【背景技術】
【０００２】
近年、防犯上の要請から引き違いガラス戸には、クレセント錠等の主錠の他に、補助錠を設置することが望まれ、そのような補助錠として、例えば、窓のガラスに後面が貼り付けられる基板と、この基板に前方に傾動可能に重合させたロックプレートとを備え、そのロックプレートが前方に傾動して他方のガラス戸の開放を阻止するものが提案されている（例えば、特許文献１参照）。
【０００３】
しかし、特許文献１記載のものは、構造および操作方法が簡単であり、窓のガラスに貼り付けて設置するので、その取り付け作業が簡単であるが、外部からの侵入者等によって開けられようとする際における警告機能は備えていない。
【０００４】
そこで、外部から強引に開かれようとしたときに警報を発して、周囲に警告するとともに、侵入者を威嚇できる警告機能を付加したものが望まれており、そのような要望に対応するものとして、取付板に規制片を起伏自在に重合させてなる補助錠を、一方の引き違い戸に固着するとともに、この補助錠の接触を感知する検知部を設けた警報器を、他方の引き違い戸に取り付け、規制片を起立させている時に、いずれか一方の引き違い戸を開けようとすれば、警報器は補助錠の接触を感知して警報音を発生するとともに、起立させた規制片によって、引き違い戸のそれ以上の開放動作を阻止する構造とした引き違い戸防犯システムが提案されている（例えば、特許文献２参照）。
【０００５】
特許文献２に記載の技術においては、システムとしてロック機能と警告機能とを併せて保有するものの、それら機能を果たす補助錠と警報器とを、それぞれ別個に取り付けて使用するので、取り付け作業が煩雑になる。また補助錠および警報器は、屋外から確認しにくい室内に設けられるので、侵入者に対し威嚇的な効果が全くない。
【０００６】
そこで、出願人は、単体でロック機能と警告機能とを併せて保有し、取り付けが容易で、操作が簡単な上に、装置の設置を外部から確認できるため侵入者に対し威嚇的な効果を与える引き違いガラス戸用補助錠を別途出願している（特願２００６−１３７９３４参照）。
【特許文献１】特開平１１−３６６７６号公報（第２〜３頁および図１〜３）
【特許文献２】特開２００１−１５２７２３号公報（第２〜８頁および図１〜１５）
【発明の開示】
【発明が解決しようとする課題】
【０００７】
さらに、上述したところの引き違いガラス戸用補助錠を、建物の複数箇所に設ける場合があり、そのような場合に、複数の引き違いガラス戸用補助錠を一箇所で集中的に監視したいという要求がある。
【０００８】
この発明は、建物の複数箇所に設けた複数の引き違いガラス戸用補助錠を、一箇所で集中的に監視することができる補助錠監視システムの提供を目的としている。
【課題を解決するための手段】
【０００９】
請求項１の発明は、引き違いガラス戸の外側ガラス戸に後面が貼り付けられる基板と、この基板の前面側に一端部を起伏自在に枢支させたロック体とを備え、前記ロック体を前記基板に対し起立させることで、そのガラス戸の開放を阻止するように構成された複数の引き違いガラス戸用補助錠を監視する補助錠監視システムであって、前記各ガラス戸用補助錠は、ガラス戸の振動又は内側のガラス戸とロック体の当接力を検知した場合に、前記各補助錠の識別情報を含む警報信号を発する無線送信部と、この無線送信部を作動させる電源部とを備え、前記各補助錠の無線送信部よりの警報信号が、前記複数の引き違いガラス戸からの侵入を監視する監視装置に送信される構成とされていることを特徴とする。
【００１０】
このようにすれば、各補助錠は、ガラス戸の振動又は内側のガラス戸とロック体の当接力を検知した場合に、無線送信部より警報信号が監視装置に送信されるので、一箇所つまり監視装置が設けられている場所において、各引き違いガラス戸が開かれようとしているか否かを集中的に監視することができる。
【００１１】
また、無線で送受信するので、設置が容易で、監視装置を補助錠から離れた場所で監視する（例えば１，２階のガラス戸を１階の特定の部屋で監視する）ことも容易である。
【００１２】
請求項２に記載のように、前記監視装置は、前記警報信号を受信した際に、前記識別情報に対応する警報音、警報メッセージあるいは警報光を出力する警報部を備える構成とすることができる。
【００１３】
このようにすれば、警報部よりの、各補助錠に対応する警報音、警報メッセージあるいは警報光の出力により、いずれの補助錠が設けられたガラス戸が開かれようとしているかを、すぐに判別することができる。
【００１４】
請求項３に記載のように、前記警報信号は、さらに前記電源部の電圧情報を含み、前記監視装置は、前記警報信号を受信した際に、前記電源部の電圧値が所定値以上であるか否かの判定を行う判定手段を備えることも可能である。
【００１５】
このようにすれば、警報信号の受信と一緒に、電源部の電圧値のチェックも同時に行うことができる。
【００１６】
請求項４に記載のように、前記ロック体は、前記電源部および前記無線送信部とともにそれらを接続する電気回路を開閉する電源スイッチを備えるものであり、前記電源スイッチは、前記ロック体の倒伏動作による前記基板との接触によりオフに、前記ロック体の起立動作による前記基板からの離間によりオンになるように構成することもできる。
【００１７】
このようにすれば、ロック体を起立させることで、無線送信部に電源部から電力が供給され、無線送信可能な状態とされ、また、ロック体を倒伏させることで、ロックが解除され、電源部から無線送信部への電力供給が遮断される。
【００１８】
請求項５に記載のように、前記無線送信部は、前記ガラス戸の振動を検知する振動センサーと、前記ロック体の起立時において前記内側のガラス戸の開放動作時の押し付け力で作動するダンパースイッチと、前記振動センサーおよび前記ダンパースイッチからの信号に基づき警報信号を出力する制御部とを備える構成としてもよい。
【００１９】
このようにすれば、ロック体を起立させた状態において、ガラス戸が開けられようとしたとき、その外力で生じた振動は振動センサーで検知され、また引き違いガラス戸の開放力はダンパースイッチの作動で検知され、それぞれ制御部に伝えられ、警報信号が出力される。
【発明の効果】
【００２０】
以上のように、本発明は、各補助錠の無線送信部よりの警報信号が、ガラス戸からの侵入を監視する監視装置に送信されるので、一箇所つまり監視装置が設けられている場所において、複数箇所の引き違いガラス戸の開放について集中的に監視することができる。
【発明を実施するための最良の形態】
【００２１】
以下、本発明を実施するための最良の形態を図面に基づいて説明する。
【００２２】
図１に本発明に係る補助錠の監視ステムの一実施の形態を示す説明図である。
【００２３】
図１に示すように、補助錠の監視システム１０１は、外側及び内側のガラス戸Ｗ１１，Ｗ２１，Ｗ３１，Ｗ１２，Ｗ２２，Ｗ３２を有する各引き違いガラス戸Ｗ１，Ｗ２，Ｗ３の外側ガラス戸Ｗ１１，Ｗ２１，Ｗ３１にそれぞれ取り付けられた複数の補助錠１０を備え、後述するように、各補助錠１０が取付けられた引き違いガラス戸Ｗ１〜Ｗ３について、第三者の侵入等による開放動作を検知し、それを検知した場合に、その検知した補助錠１０よりの警報信号が、別の場所に設置された監視装置３１に送信され、その監視装置３１によって複数の補助錠１０を一箇所で集中管理できるようにしたものである。
【００２４】
まず、監視システム１０１において用いる補助錠１０について、図４〜図７に基づいて、説明する。
【００２５】
補助錠１０は、長方形状の基板１と、この基板１に対し回転可能に一側縁部（図４において下縁部）が枢支された扁平箱状のロック体２とを備えている。
【００２６】
基板１は、後面に耐候性の両面接着テープ（図示省略）の一面が接着されており、その両面接着テープを介して後述のガラスＧに貼り付けられる。一方、ロック体２は、一側縁部を、図４（ａ）（ｂ）に示すように、基板１の下部両側縁において基板１に直交する方向に突出して設けられたヒンジ部１ａに、枢支軸４を介して回転可能に連結されている。この連結支持構造のもとで、基板１に対しロック体２が重なり合うように倒伏した重合状態（図４（ａ）参照）と、基板１の正面に対しロック体２が直交する方向に起立した起立状態（図４（ｂ）参照）とを択一的にとる。
【００２７】
ロック体２は、構造上の強度および高剛性を備えた偏平状の筐体３内に、無線送信部２１を収容するユニット収容エリアＳ１と、この無線送信部２１の作動用電源としてのボタン電池Ｂを収容する電池収容エリアＳ２と、ロック体２を基板１に係止するストッパー８を配する係止機構配置エリアＳ３と、挿通される枢支軸４が配置される軸挿通エリアＳ４とを備えている。また、筐体３の一側面に、図５に示すように、筐体３の側壁を貫通して横移動可能なプッシュバー５と、このプッシュバー５を保持するダンパーゴム６とを設けている。ダンパーゴム６は中央突出部でプッシュバー５の頭部を支持し、一対の爪部６ａを筐体３の側面に嵌着することにより一体に固定されている。プッシュバー５は、図４（ｂ）に一点鎖線で示すように、内端側を無線送信部２１内に挿入し、その内端が後述のダンパースイッチ２５に接するように配されている。このようなプッシュバー５およびダンパーゴム６は、内側のガラス戸Ｗ２の窓枠Ｆに当接する一側面部に設けられている。そして補助錠１０は、ロック体２を起立させた時に、プッシュバー５およびダンパーゴム６の端面が、内側のガラス戸Ｗ２の窓枠Ｆに当接するように取り付けられる。
【００２８】
また、基板１の表面（正面）には、図４（ｂ）に示すように、ロック体２の係止機構配置エリアＳ３に配したストッパー８に係合可能な係止爪１ｃを前方に向けて突設している。このストッパー８は、図５および図６（ａ）（ｂ）に示すように、コイルスプリング８ａで枢支軸４の方向に付勢されており、図６（ｂ）に示すように、ロック体２を倒伏させて基板１に重合させると、係止爪１ｃに係合してロック体２の倒伏状態を確実に保持する。そして、枢支軸４側の側辺で筐体３から一部がわずかに突出する解除ボタン部７をコイルスプリング８ａに抗して押し込むことにより、ストッパー８と係止爪１ｃとの係合状態が解除され、図６（ａ）に示すように、ロック体２の起立が可能になるように構成されている。
【００２９】
電池収容エリアＳ２に収容したボタン電池Ｂは、図４（ｂ）に示すように、開閉蓋３ｅによって離脱しないように保持される。
【００３０】
そして、引き違いガラス戸Ｗ１について説明すれば、補助錠１０は、ロック体２を倒伏させて、図７（ａ）に示すように、引き違いガラス戸Ｗ１の外側のガラス戸Ｗ１１のガラスＧの内側面（室内側の面）に貼り付けて設置されるが、基板１とロック体２との重合状態での総厚さは内側のガラス戸Ｗ１２の開閉を阻害しない厚さとし、主錠Ｒが施錠されていない限り、図７（ｂ）に示すように、ロック体２を倒伏させると、内側のガラス戸Ｗ１２の開閉、ひいては外側のガラス戸Ｗ１１の開閉が可能となる。また、図７（ｃ）に示すように、ロック体２の上端側を前方に下向きに略９０°回転させて基板１の正面に対し起立させると、そのロック体２の一側面が内側のガラス戸Ｗ１２の窓枠Ｆに当接して開放を阻止する状態となる。なお、引き違いガラス戸Ｗ２，Ｗ３も、引き違いガラス戸Ｗ１と同様の構成である。
【００３１】
なお、本例の補助錠１０では、基板１とロック体２の筐体３とは、金属板（例えばステンレス鋼板）から形成され、基板１は、高さ方向の寸法が６０ｍｍ前後、幅方向の寸法が８０ｍｍ前後で、基板１とロック体２との重合時の総厚さが９ｍｍ以下になるように構成されている。またロック体２の起立時に、窓枠Ｆが３５ｋｇｆの静荷重、もしくは５０ｋｇｆの動荷重で接触しても、各構成部の作動および形状に異常が生じない構造上の強度と剛性を保有している。またロック体２のダンパーゴム６は、５０ｋｇｆの衝撃荷重を受けても破損しないものを選択して使用されている。さらに基板１後面の両面接着テープは、窓枠Ｆから５０ｋｇｆの荷重がロック体２に作用して５分間経過しても、窓ガラスＧ面から３０％以上剥離することのない接着力を有するものを選択して使用しており、これにより、主錠Ｒのロック機能を補完し、また仮に主錠Ｒの施錠を忘れた場合でも、十分なロック機能を果たせるようになっている。
【００３２】
筐体３内であってユニット収容エリアＳ１に収容される無線送信部２１は、図２（ａ）に示すように、演算回路２２Ａと特小無線ＲＦ回路２２Ｂとを有する制御部２２（１チップマイコン）に、振動センサー２３からの信号がアンプ２４を介して入力され、ダンパースイッチ２５からの信号は直接に入力される。振動センサー２３、ダンパースイッチ２５及び制御部２２には、定電圧電源回路２６を介して電源部２７（電池）が接続されている。そして、特小無線ＲＦ回路２２Ｂから送信アンテナ２８を通じて警報信号が送信される。また、演算回路２２Ａには、ユーザーが補助錠１０についての識別情報あるいはＩＤを設定するための８ビットのＤＩＰスイッチ２９が接続され、警報信号に前記識別情報あるいはＩＤを付加して送信できるようになっている。
【００３３】
一方、受信アンテナ３２を通じて信号を受信する受信側の監視装置３１は、図２（ｂ）に示すように、ＲＦユニット３３、デコーダ３４、ＣＰＵ３５、出力回路３６（警報部）及びスピーカ３７を有する。ここで、スピーカ３７からの警報音あるいは警報メッセージの出力に代えて、ＬＥＤなどの発光による警報光の出力を行うができるし，それらの両方の出力を行うことも可能である。
【００３４】
また、演算回路２２Ａは、具体的な構成は図示していないが、アンプ２４を経由した振動センサー２３からの信号およびダンパースイッチ２５からの信号を識別（閾域差や信号の有無により識別）し、予めインプットされたプログラムに基づく警報指令を出すコンパレータと、コンパレータからの指令により警報指令の持続時間をセットするタイマーと、コンパレータおよびタイマーからの指令により各種警報信号を、特小無線ＲＦ回路２２Ｂに送るようになっている。また、電源部２７に定電圧電源回路２６を介して接続されているので、電源部２７（電池）の電圧低下を監視するために、電源部２７の電圧情報も特小無線ＲＦ回路２２Ｂに送るようになっている。
【００３５】
さらに無線送信部２１は、図５に示すように、軸挿通エリアＳ４に配した抑圧バネ３ｆと、筐体３の側壁を貫通して無線送信部２１内まで至るダンパーゴム６の一対の爪部６ａとで確実に保持されている。また、この無線送信部２１は、図４（ｂ）に示すように、基板１と対向する一面に、ボタン電池Ｂと接続する電気回路を開閉する電源スイッチ（図示省略）を作動させるプッシュボタンＰを設けている。そして、ロック体２の倒伏時に基板１との接触によりオフに、ロック体２の起立時に基板１との接触解除によりオンになるように構成されている。
【００３６】
したがって、ロック体２を起立させるだけで、無線送信部２１が、警報信号を送信可能な状態になる。この状態で、窓ガラスＧの振動を振動センサー２３が検知し、内側のガラス戸Ｗ２の開放動作はプッシュバー５を介してダンパースイッチ２５で検知して、制御部２２に伝えられて、制御部２２で一定の処理が行われて、警報信号が送信アンテナ２８を通じて送信される。この警報信号は、受信アンテナ３２を通じて監視装置３１によって受信され、一定の処理が行われる。
【００３７】
その動作フローの一例を、図３に示すように、まず、ロック体２の解除ボタン部７を押してストッパー８との係合状態を解除して、ロック体２を前方下向きに略９０°回転させて下げると、プッシュボタンＰから基板１が離間する。その結果、電源スイッチが作動して電源オンの状態になり（ステップＳ１〜Ｓ３）、入力待機状態、つまり警報信号を送信可能な状態になる（ステップＳ４）。ここで、無線送信部２１では、電源オンの状態が３秒間継続することにより警告開始状態が確認され、例えばヒープ音の出力などによって操作者に、警報信号を送信可能な状態になったことが報知される。
【００３８】
この状態では、図２に示す制御部２２で振動センサー２３による振動検知またはダンパースイッチ２５による開閉検知の信号の有無を常時確認する（ステップＳ５）。そして、検知信号がないときは、ステップＳ４に戻り、入力待機の状態を維持する一方、いずれかの検知信号があるときは、続いて電源電圧が２．０Ｖ以上であるか否かの電源電圧判定が行われる（ステップＳ６）。
【００３９】
電源電圧が２．０Ｖ以上であれば、そのまま警報信号が監視装置３１に送信される（ステップＳ７）。この送信は、４２６Ｈｚ帯が用いられ、送信は５秒以内とされる。信号には、ＤＩＰスイッチ２９を用いて使用者に設定された送信部識別コードやＩＤが含まれるので、それによりどの場所に設置した補助錠であるかが分かる。一方、電源電圧が２．０Ｖ以上でなければ、電源部２７において電池交換が必要であることを知らせるために、Flagを１とし（ステップＳ８）、ステップＳ４に移行する。これにより、警報信号と一緒に、電源部２７で電池交換が必要であることを示すFlag＝1も送信する。
【００４０】
警報信号を送信した後は、２秒間は送信休止時間とされ（ステップＳ９）、しかる後ステップＳ４に戻り、入力待機状態となる。
【００４１】
よって、ロック体２を起立させた状態では、ガラス戸Ｗ１，Ｗ２を強引に開けようとすると、その際に生じる振動を振動センサー２３で検知し、また窓枠Ｆの押し付け力をダンパースイッチ２５で検知するので、無線送信部２１の制御部２２は、送信アンテナ２８を通じて警報信号を発し、またガラス戸に作用する外力が、例えば主錠Ｒの開錠を目的とした窓ガラスＧを破断するための衝撃であれば、その衝撃による振動を振動センサー２３が検知して、同様に警報信号を発する。これにより、警報信号を受けた監視装置３１は、警報信号に含まれる識別情報やＩＤに応じて、点滅するＬＥＤを変えたり、警報音を変えたりすることで、いずれの引き違いガラス戸Ｗ１〜Ｗ３を開けようとしているのかを報知することになる。よって、引き違いガラス戸Ｗ１〜Ｗ３から離れ監視装置３１が設けられている場所において、引き違いガラス戸Ｗ１〜Ｗ３の状態（誰かが開放しようとしているかどうか）を集中的に監視することができることになる。
【００４２】
前記実施の形態は、次のように変更して実施することも可能である。
【００４３】
(a)補助錠１０は、引き違い式のものであれば、一般的な窓をはじめてとして、例えば掃き出し口や玄関の引き違いガラス戸、間仕切りの引き違いガラス戸などに設置して同様の作用・効果が得られることは言うまでもない。
【００４４】
(b)無線送信部２１は、振動やガラス戸の開放を検知して警報信号を監視装置３１に送信するようにしているが、補助錠においても、スピーカを設けて警報音を発生したり、ＬＥＤを設けて警報光を点滅させたりすることもできる。これらによって警報するだけでなく、外部からの侵入者を威嚇してその侵入を抑制することができる。
【００４５】
(c)無線送信部２１は、振動センサー２３とダンパースイッチ２５とを備えるものとしたが、いずれか一方のみ備える構成としてもよく、例えばダンパースイッチ２５を省略して、振動センサー２３のみによって異常を検知して警報信号を送信する構成とすることもできる。
【００４６】
(d)さらに、例えばロック体２の起立時に前方に面する位置に赤色ＬＥＤを配したり、蛍光ランプを粘着したりして、警報信号を送信可能である状態であるか否かを視認により確実に認識できるようにすることも可能である。
【００４７】
(e)前記監視装置は、前記警報信号を受信した際に、前記電源の電圧値が所定値以上であるか否かの電源電圧判定を行う判定手段を備えるが、前記判定手段は、定期的に例えば毎日一定の時刻に電源の電圧値についての信号を受け、前記電源の電圧値が所定値以上であるか否かの判定を行うようにすることも可能である。
【００４８】
(f)無線送信部２１は、電源オンの状態が３秒間継続することにより例えばヒープ音の出力などによって操作者に、警報信号を送信可能な状態になったことが報知するようにしているが、警報信号を送信可能な状態になったことを報知するセット完了信号を監視装置に送信し、監視装置において集中的に確認するようにすることも可能である。
【図面の簡単な説明】
【００４９】
【図１】本発明に係る補助錠の監視システムの一実施の形態を示す説明図である。
【図２】（ａ）は補助錠の無線送信部のブロック図、（ｂ）は監視装置（受信部）のブロック図である。
【図３】無線送信部の作動フロー図である。
【図４】本発明の補助錠の実施例を示す斜視図で、図４（ａ）はロック体の倒伏時の状態を、図４（ｂ）はロック体の起立時の状態をそれぞれ表している。
【図５】ロック体の構成を示す図４（ｂ）のＡ−Ａ線における断面図である。
【図６】ロック体のストッパーの構成および作動をし、図６（ａ）は起立時の状態を表し、図６（ｂ）は倒伏時の係止状態を表している。
【図７】ガラス戸への設置（取付）状態を示す斜視図で、図７（ａ）はロック体の倒伏時においてガラス戸を閉めた状態を、図７（ｂ）はロック体の倒伏時においてガラス戸を開閉する状態を、図７（ｃ）はロック体の起立時においてガラス戸を無理に開放しようとした状態をそれぞれ示す。
【符号の説明】
【００５０】
１    基板
２    ロック体
１０    補助錠
２１    無線送信部
２２    制御部
２３    振動センサー
２５    ダンパースイッチ
２７    電源部
３１    監視装置
３５    ＣＰＵ
３６    出力回路（警報部）
１０１    監視システム
Ｗ１〜Ｗ３    引き違いガラス戸
Ｗ１１，Ｗ２１，Ｗ３１    外側のガラス戸
Ｗ１２，Ｗ２２，Ｗ３２    内側のガラス戸
【図１】
2007321362.tif 000003
【図２】
2007321362.tif 000004
【図３】
2007321362.tif 000005
【図４】
2007321362.tif 000006
【図５】
2007321362.tif 000007
【図６】
2007321362.tif 000008
【図７】
2007321362.tif 000009